(57)【要約】【課題】洗濯物をオゾン又は空気のマイクロバブル又はナノバブルにより洗濯を行うことが可能となる洗濯装置の提供をすること。【解決手段】洗濯装置１０は、オゾン発生装置２０と、泡発生装置２１と、洗濯用水循環ポンプ２２と、水槽２３と、酸素供給手段２５と、排水貯槽４０と、逆浸透膜ポンプ４１と、逆浸透膜４２と、フィルタ４３と、を備える。オゾン発生装置２０は、大気吸入配管２８上に設置された大気取入弁３４を開け、大気をオゾン発生装置２０内に吸い込み、吸い込んだ大気から酸素を取り出してオゾンを発生させる。オゾン発生装置２０は、発生させたオゾンをオゾン供給配管２６を介して泡発生装置２１に供給される。オゾン発生装置２０の替わりに空気発生装置を用いてもよい。【選択図】図１
2009226208.tif 000002
【特許請求の範囲】
【請求項１】
洗濯物の洗濯に使用するマイクロバブル又はナノバブルを発生させる泡発生装置と、
前記泡発生装置を中に設置し、洗濯機への洗濯用水を一時蓄える水槽と、
前記洗濯機から前記泡発生装置にマイクロバブル又はナノバブルを発生させるために前記洗濯用水を圧送する洗濯用水循環ポンプと、
前記洗濯物の殺菌・除染に使用するオゾン又は空気を発生させ泡発生装置に供給するオゾン又は空気発生装置と、を備えた洗濯装置。
【請求項２】
原子力発電所の点検作業で発生する前記洗濯物を洗濯した洗濯排水を前記洗濯機から受ける排水貯槽と、
前記排水貯槽内の前記洗濯排水からナトリウムイオンと塩素イオンとを分離し、前記排水貯槽へ供給する逆浸透膜と、
前記排水貯槽から前記逆浸透膜及び前記水槽に前記洗濯排水を送る逆浸透膜ポンプと、
洗濯排水中のごみを除去する前記排水貯槽と前記逆浸透膜ポンプとの間に設置されるフィルタと、を備えた請求項１に記載の洗濯装置。
【請求項３】
前記オゾン又は空気発生装置は、前記洗濯物の殺菌・除染に使用するオゾン又は空気の発生源として酸素供給手段を備えた請求項１又は２に記載の洗濯装置。
【請求項４】
前記オゾン又は空気発生装置は、前記洗濯機からの排気中のオゾン又は空気をあつめ、泡発生装置に供給する循環供給手段を備えた請求項１から３のいずれか１項に記載の洗濯装置。
【発明の詳細な説明】
【技術分野】
【０００１】
本発明は、オゾンのマイクロバブル又はナノバブルにより洗濯を行う洗濯装置に関する。
【背景技術】
【０００２】
従来より、洗濯槽内に水を貯めて、その水に界面活性剤を含む洗剤を溶け込ませた状態で、マイクロバブルを供給することにより、水中の界面活性剤をマイクロバブルに吸着させることができ、界面活性剤が吸着されたマイクロバブルは、互いに合体するのが抑制されるために水中に長時間滞留させることにより、使用する洗剤の量が少なくても、洗濯物の汚れを良好に分離させられる技術（特許文献１）が開発されている。しかしながら、本技術は洗剤の併用が必要な技術である。
【０００３】
また、洗濯物の洗浄、漂白を行うに際し、マイクロバブルを使用する技術（特許文献２）が開発されている。しかしながら、洗浄、漂白するに際し過酸化水素系漂白液を併用する技術である。
【０００４】
なお、原子力発電所での点検作業で発生する洗濯物の洗濯で発生する洗濯排水は蒸発濃縮処理を行い、発生する廃液の減容処理を行う必要がある。そこで、蒸発濃縮処理のときの洗剤による泡発生による濃縮器操作への影響を避けるため、使用する洗剤の量をメーカ推奨値の１／１００程度としており汚れの落ちにくい洗濯物がある。
【先行技術文献】
【特許文献】
【０００５】
【特許文献１】特開２００６−１１００９１号公報
【特許文献２】特開２００７−９２２０７号公報
【発明の概要】
【発明が解決しようとする課題】
【０００６】
本発明は、発生する洗濯物の洗濯にオゾン又は空気のマイクロバブル又はナノバブルを使用し洗濯を行う洗濯装置の提供を目的とする。
【課題を解決するための手段】
【０００７】
以上の目的を達成するために、本発明は、以下のような洗濯装置を提供する。
【０００８】
（１）  洗濯物の洗濯に使用するマイクロバブル又はナノバブルを発生させる泡発生装置と、前記泡発生装置を中に設置し、洗濯機への洗濯用水を一時蓄える水槽と、前記洗濯機から前記泡発生装置にマイクロバブル又はナノバブルを発生させるために前記洗濯用水を圧送する洗濯用水循環ポンプと、前記洗濯物の殺菌・除染に使用するオゾン又は空気を発生させ泡発生装置に供給するオゾン又は空気発生装置と、を備えた洗濯装置。
【０００９】
（１）に記載の発明によれば、オゾン又は空気のマイクロバブル又はナノバブルにより洗濯を行うことが可能となる。
【００１０】
（２）  原子力発電所の点検作業で発生する前記洗濯物を洗濯した洗濯排水を前記洗濯機から受ける排水貯槽と、前記排水貯槽内の前記洗濯排水からナトリウムイオンと塩素イオンとを分離し、前記排水槽へ供給する逆浸透膜と、前記排水貯槽から前記逆浸透膜及び前記水槽に前記洗濯排水を送る逆浸透膜ポンプと、洗濯排水中のごみを除去する前記排水貯槽と前記逆浸透膜ポンプとの間に設置されるフィルタと、を備えた（１）に記載の洗濯装置。
【００１１】
（２）に記載の発明によれば、原子力発電所での点検作業で発生する洗濯物の主な汚れは作業で発生する汗であり、逆浸透膜により、洗濯排水中から汗の主成分であるナトリウムイオンと塩素イオンを分離することにより洗濯排水の再使用を可能とする。
【００１２】
（３）  前記オゾン又は空気発生装置は、前記洗濯物の殺菌・除染に使用するオゾン又は空気の発生源として酸素供給手段を備えた（１）又は（２）に記載の洗濯装置。
【００１３】
（３）に記載の発明によれば、オゾン又は空気発生装置のオゾン又は空気発生源を大気中の酸素から酸素供給手段からの酸素にすることにより、大気中の窒素と酸素にから副生成物としてオゾン又は空気発生装置で生成される窒素酸化物により洗濯排水に硝酸が発生することを防止し、硝酸による洗濯物の損傷や洗濯装置の腐食の発生を防止する。
【００１４】
（４）  前記オゾン又は空気発生装置は、前記洗濯機からの排気中のオゾン又は空気をあつめ、泡発生装置に供給する循環供給手段を備えた（１）から（３）のいずれかに記載の洗濯装置。
【００１５】
（４）に記載の発明によれば、発生させたオゾン又は空気を洗濯機に供給し洗濯に使用され排気されるオゾン又は空気を泡発生装置に再供給し、循環使用することにより発生させたオゾン又は空気を有効利用することを可能とする。
【発明の効果】
【００１６】
本発明によれば、洗濯にオゾン又は空気のマイクロバブル又はナノバブルを使用することにより洗濯を可能とする。したがって、洗濯排水が洗剤により汚れないため洗濯用水として再利用が可能となる。また、発電所における洗濯排水の蒸発濃縮処理のときの妨げになる泡が発生しない。また、ろ過処理のときの目詰まりを軽減することができる。
【図面の簡単な説明】
【００１７】
【図１】本発明に係る第１実施形態の洗濯装置を示すブロック図である。
【図２】本発明に係る第２実施形態の洗濯装置を示すブロック図である。
【発明を実施するための形態】
【００１８】
図１を参照して、本発明の第１実施形態について説明する。
図１は、洗濯装置１０のブロック図である。
【００１９】
図１に示すように、洗濯装置１０は、オゾン発生装置２０と、泡発生装置２１と、洗濯用水循環ポンプ２２と、水槽２３と、酸素供給手段２５と、排水貯槽４０と、逆浸透膜ポンプ４１と、逆浸透膜４２と、フィルタ４３とを備える。
【００２０】
オゾン発生装置２０は、大気吸入配管２８上に設置された大気取入弁３４を開け、大気をオゾン発生装置２０内に吸い込み、吸い込んだ大気から酸素を取り出してオゾンを発生させる。オゾン発生装置２０は、発生させたオゾンをオゾン供給配管２６を介して泡発生装置２１に供給する。
【００２１】
オゾンは非常に酸化力が強く、有害物質を分解し、殺菌や消臭作用を有していることが知られている。したがって、オゾン水中で洗濯を行うことで、洗濯物の殺菌、消臭が行える。また、オゾンは有機物の分解作用による洗浄作用や漂白作用も有している。
【００２２】
なお、オゾン発生装置２０からのオゾン発生のオゾン源として大気を使用する場合にはオゾン発生装置２０は、副生成物質として大気中に含まれる窒素と酸素とから窒素酸化物を生成し、洗濯排水中に硝酸を発生させる恐れがある。
【００２３】
そこで、オゾン発生装置２０は、酸素供給手段２５を備えることが好ましい。酸素供給手段２５は、オゾン発生装置２０のオゾン源としてオゾン発生装置２０で窒素酸化物を生成しない酸素のみを供給可能とするものであり、酸素供給手段２５として酸素ボンベ３１と、酸素吸入配管２９と、酸素取入弁３５と、を備える。
【００２４】
酸素ボンベ３１を使用する場合は、大気吸入配管２８上に設置された大気取入弁３４を閉じ、酸素吸入配管２９上に設置された酸素取入弁３５を開け、オゾン発生装置２０は酸素を中に吸い込む。
【００２５】
また、オゾン発生装置２０は、洗濯機２４の排気中に含まれるオゾンを再度洗濯に利用するためのオゾンの循環手段として、オゾン循環配管２７と、排気弁３２と、を備える。オゾン供給配管２６上に設置された排気弁３２を開け、オゾン供給配管２６上に設置されたオゾン供給弁３３を閉めることにより、洗濯機２４の排気がオゾン供給配管２６に導かれる。これにより洗濯機２４の排気は、泡発生装置２１にマイクロバブル又はナノバブル源として供給される。
【００２６】
泡発生装置２１は、洗濯用水循環ポンプ２２による洗濯用水の圧送によりオゾン発生装置２０から発生したオゾンを吸い込み、マイクロバブル又はナノバブルを発生させマイクロバブル又はナノバブルを洗濯用水とともに洗濯機２４に供給する。
【００２７】
オゾンは有機物の分解作用による洗浄作用や漂白作用も有している。すなわち、マイクロバブル又はナノバブルの崩壊時に発生する圧力波の洗浄効果に加えて、オゾンが汚れを分解し低分子量化するため、汚れが洗濯物から離脱しやすくなり、洗浄力を高める効果がある。
【００２８】
さらに、オゾンは洗濯物から取れて水中に出てきた汚れ自体も分解する作用があり、洗濯をしながら洗濯用水の浄化も行うことができ、洗濯排水の汚濁防止が可能である。
【００２９】
洗濯用水循環ポンプ２２は、洗濯機２４から洗濯用水を吸い込み、吸い込まれた洗濯用水を洗濯用水供給配管３０により泡発生装置２１に供給する。洗濯用水供給配管３０上に設置された減圧弁３６により泡発生装置２１に送られる洗濯用水の圧力を調整し発生するマイクロバブル又はナノバブルの泡径の調整が行われる。
【００３０】
水槽２３は、この内部に洗濯用水循環ポンプ２２による洗濯用水の圧送によりマイクロバブル又はナノバブルを発生させる泡発生装置２１が設置され、洗濯機２４への洗濯用水供給時に一時的に洗濯用水を蓄える槽として使用する。
【００３１】
排水貯槽４０は洗濯機２４の下部に設置され、排水貯槽４０に洗濯機２４で洗濯が終了した後の洗濯排水が蓄えられる。
【００３２】
原子力発電所での点検作業で発生する洗濯物には汗で汚れた洗濯物が多く、洗濯物を洗濯した後の洗濯排水にはナトリウムイオンと塩素イオンが多く含まれている。そこで、洗濯装置１０は、洗濯排水中のナトリウムイオンと塩素イオンを分離するために逆浸透膜４２を備える。
【００３３】
逆浸透膜ポンプ４１は、排水貯槽４０と逆浸透膜４２の間に設置され、排水貯槽４０の洗濯排水を逆浸透膜４２に供給する。逆浸透膜４２を通過した洗濯排水から逆浸透膜４２でナトリウムイオンと塩素イオンが分離され、分離された洗濯排水は透過水供給配管４４を介し排水貯槽４０に供給される。
【００３４】
逆浸透膜４２でナトリウムイオンと塩素イオンが分離され透過水供給配管４４により排水貯槽４０に供給された洗濯排水は、透過水供給配管４４上に設置された透過水循環弁５２を閉じ、透過水補給配管４５上に設置された透過水供給弁を開け、逆浸透膜ポンプ４１により逆浸透膜４２を介し水槽２３に供給する。
【００３５】
水槽２３に供給されたナトリウムイオンと塩素イオンが分離された洗濯排水は水槽２３から泡発生装置２１により洗濯機２４に洗濯用水として供給され再び洗濯に使用する。
【００３６】
なお、逆浸透膜４２でナトリウムイオンと塩素イオンが分離濃縮された濃縮水は濃縮水排水配管４６上に設置された濃縮水排水弁５４を開け排水処理の設備へ送る。
【００３７】
このように、洗濯にオゾンのマイクロバブル又はナノバブルを使用することにより洗濯を可能とする。したがって、洗濯排水が洗剤により汚れないため洗濯用水として再利用が可能となる。また、発電所における洗濯排水の蒸発濃縮処理のときの妨げになる泡が発生しない。また、ろ過処理のときの目詰まりを軽減することができる。
【００３８】
図２を参照して、本発明の第２実施形態について説明する。
図２は、洗濯装置１０ａのブロック図である。洗濯装置１０ａは、図１に示す洗濯装置１０のうち、オゾン発生装置２０、オゾン供給配管２６、オゾン循環配管２７、排気弁３２、及び、オゾン供給弁３３を、それぞれ、空気発生装置２０ａ、空気供給配管２６ａ、空気循環配管２７ａ、空気排気弁３２ａ、及び、空気供給弁３３ａに置き換えており、それ以外は、洗濯装置１０と同様であるので、同一符号を付して、それらの説明を省略する。
【００３９】
図２に示すように、洗濯装置１０ａは、空気発生装置２０ａと、泡発生装置２１と、洗濯用水循環ポンプ２２と、水槽２３と、酸素供給手段２５と、排水貯槽４０と、逆浸透膜ポンプ４１と、逆浸透膜４２と、フィルタ４３とを備える。
【００４０】
空気発生装置２０ａは、大気吸入配管２８上に設置された大気取入弁３４を開け、大気を空気発生装置２０ａ内に吸い込み、吸い込んだ大気から酸素を取り出して空気を発生させる。空気発生装置２０ａは、発生させた空気を空気供給配管２６ａを介して泡発生装置２１に供給する。
【００４１】
空気は、オゾンと同様、非常に酸化力が強く、有害物質を分解し、殺菌や消臭作用を有していることが知られている。したがって、空気水中で洗濯を行うことで、洗濯物の殺菌、消臭が行える。また、オゾンは有機物の分解作用による洗浄作用や漂白作用も有している。
【００４２】
なお、空気発生装置２０ａからの空気発生の空気源として大気を使用する場合には空気発生装置２０ａは、副生成物質として大気中に含まれる窒素と酸素とから窒素酸化物を生成し、洗濯排水中に硝酸を発生させる恐れがある。
【００４３】
そこで、空気発生装置２０ａは、酸素供給手段２５を備えることが好ましい。酸素供給手段２５は、空気発生装置２０ａの空気源として空気発生装置２０ａで窒素酸化物を生成しない酸素のみを供給可能とするものである。
【００４４】
酸素ボンベ３１を使用する場合は、大気吸入配管２８上に設置された大気取入弁３４を閉じ、酸素吸入配管２９上に設置された酸素取入弁３５を開け、空気発生装置２０ａは酸素を中に吸い込む。
【００４５】
また、空気発生装置２０ａは、洗濯機２４の排気中に含まれる空気を再度洗濯に利用するための空気の循環手段として、空気循環配管２７ａと、空気排気弁３２ａと、を備える。空気供給配管２６ａ上に設置された空気排気弁３２ａを開け、空気供給配管２６ａ上に設置された空気供給弁３３ａを閉めることにより、洗濯機２４の排気が空気供給配管２６ａに導かれる。これにより、洗濯機２４の排気は、泡発生装置２１にマイクロバブル又はナノバブル源として供給される。
【００４６】
泡発生装置２１は、洗濯用水循環ポンプ２２による洗濯用水の圧送により空気発生装置２０ａから発生した空気を吸い込み、マイクロバブル又はナノバブルを発生させマイクロバブル又はナノバブルを洗濯用水とともに洗濯機２４に供給する。
【００４７】
空気は、オゾンと同様、有機物の分解作用による洗浄作用や漂白作用も有している。すなわち、マイクロバブル又はナノバブルの崩壊時に発生する圧力波の洗浄効果に加えて、空気が汚れを分解し低分子量化するため、汚れが洗濯物から離脱しやすくなり、洗浄力を高める効果がある。
【００４８】
さらに、空気は、オゾンと同様、洗濯物から取れて水中に出てきた汚れ自体も分解する作用があり、洗濯をしながら洗濯用水の浄化も行うことができ、洗濯排水の汚濁防止が可能である。
【００４９】
このように、洗濯にオゾンのマイクロバブル又はナノバブルを使用することにより洗濯を可能とする。したがって、洗濯排水が洗剤により汚れないため洗濯用水として再利用が可能となる。また、発電所における洗濯排水の蒸発濃縮処理のときの妨げになる泡が発生しない。また、ろ過処理のときの目詰まりを軽減することができる。
【００５０】
以上本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【符号の説明】
【００５１】
１０  洗濯装置
２０  オゾン発生装置
２０ａ  空気発生装置
２１  泡発生装置
２２  洗濯用水循環ポンプ
２３  水槽
２４  洗濯機
２５  酸素供給手段
２６  オゾン供給配管
２６ａ  空気供給配管
２７  オゾン循環配管
２７ａ  空気循環配管
２８  大気吸入配管
２９  酸素吸入配管
３０  洗濯用水供給配管
３１  酸素ボンベ
３２  排気弁
３２ａ  空気排気弁
３３  オゾン供給弁
３３ａ  空気供給弁
３４  大気取入弁
３５  酸素取入弁
３６  減圧弁
４０  排水貯槽
４１  逆浸透膜ポンプ
４２  逆浸透膜
４３  フィルタ
４４  透過水供給配管
４５  透過水補給配管
４６  濃縮水排水配管
５１  逆浸透膜供給弁
５２  透過水循環弁
５３  透過水供給弁
５４  濃縮水排水弁
【図１】
2009226208.tif 000003
【図２】
2009226208.tif 000004